(57)【要約】  【課題】構造を簡略化させつつ確実にカバーを係止し得る係止構造を提供する。  【解決手段】転写具本体１と、転写具本体１のケース３に回動可能に取り付けられたカバー２とを有し、前記カバーを所定位置で係止するカバー２の係止構造Ｘ並びに当該係止構造Ｘを採用した転写具Ａであって、ケース３に対してカバーを係止する係止手段Ｙを、カバー２が回動する回動軸２１近傍に設けてなる。  【選択図】図４
2006305839.tif 000002
【特許請求の範囲】
【請求項１】
支持体と、当該支持体に回動可能に取り付けられたカバーとを有し、前記カバーを所定位置で係止するカバーの係止構造であって、
前記支持体に対して前記カバーを係止する係止手段を、前記カバーが回動する回動軸近傍又は回動軸自体に設けてなることを特徴とするカバーの係止構造。
【請求項２】
前記係止手段を、前記回動軸近傍に前記支持体又は前記カバーの何れか一方に設けた凹部と、他方に設けられ前記所定位置において前記凹部に嵌り得る凸部とによって構成している請求項１記載のカバーの係止構造。
【請求項３】
前記凹部を平面視前記回動軸を中心とする同心円状に複数配置している請求項２記載のカバーの係止構造。
【請求項４】
前記凸部を複数設けてなり、当該複数の凸部が前記複数の凹部にそれぞれ嵌り得るように構成している請求項３記載のカバーの係止構造。
【請求項５】
前記係止手段を回動軸自体に設けてなるものであって、
当該係止手段を、前記支持体又は前記カバーの何れか一方に設けられ所定方向に向かって平面視偏向して延びる偏向軸と他方に設けられ前記偏向軸を収納する長孔とによって構成してなるものとし、
前記偏向軸の偏向方向と前気長穴の長手方向とが一致する所定位置において前記支持体に対して前記カバーを係止するように構成している請求項１記載のカバーの係止構造。
【請求項６】
前記支持体及び前記カバーが樹脂によりなるものである請求項１、２、３、４又は５記載のカバーの係止構造。
【請求項７】
請求項1乃至６の何れかに記載のカバーの係止構造を採用してなることを特徴とする転写具であって、
前記支持体を転写具本体とするとともに、前記カバーを前記転写具本体が具備する転写ヘッドを被覆し得るように前記転写具本体に取り付けてなるものとし、
前記係止手段を、前記カバーが前記転写ヘッドを露出させる開放姿勢と、前記転写ヘッドを被覆する閉止姿勢とをとり得るように構成していることを特徴とする転写具。
【発明の詳細な説明】
【技術分野】
【０００１】
本発明は、支持体に取り付けたカバーを所定位置に係止する係止構造に関するものである。
【背景技術】
【０００２】
従来、支持体に回動可能に取り付けたカバーを所定位置に係止する構造が提案されている。
【０００３】
例えば転写具を例にとると、特許文献１に記載したもののように、転写具の使用時には転写ヘッドを露出させる開放姿勢をとり、転写具の不使用時には転写ヘッドを被覆する閉止姿勢とにカバーを回動可能に支持しているものが開示されている。
【特許文献１】特開２００３−５４１９０号公報
【発明の開示】
【発明が解決しようとする課題】
【０００４】
しかしながら、カバーを所定位置に係止するためには転写具本体において、転写ヘッド近辺の位置に突起を設けたり、カバーと転写具本体とを正確に係合させ得るような格別の構造を設けなければならない。そうすると、転写具本体やカバーの構造がいきおい複雑なものとなってしまい、ひいては転写具自体の生産コストが嵩んでしまうこととなる。
【０００５】
また、このような問題は転写具に限られるものではなく、支持体に対してカバーを回動可能に取り付ける構造を有するものにおいて同様の問題が起こり得る。
【０００６】
本発明は、このような不具合に着目したものであり、構造を簡略化させつつ確実にカバーを係止し得る係止構造並びに当該カバーの係止構造を採用した転写具を提供する。
【課題を解決するための手段】
【０００７】
本発明は、このような目的を達成するために、次のような手段を講じたものである。すなわち、本発明に係るカバーの係止構造は、支持体と、当該支持体に回動可能に取り付けられたカバーとを有し、前記カバーを所定位置で係止するカバーの係止構造であって、前記支持体に対して前記カバーを係止する係止手段を、前記カバーが回動する回動軸近傍又は回動軸自体に設けてなることを特徴とする。
【０００８】
このようなものであれば、支持体とカバーとを回動可能に取り付けるために最低限接触している回動軸自体あるいはその近傍に係止手段を設けることにより、カバー及び支持体の他の箇所にカバーの位置を維持するための格別の手段を設ける必要性を有効に回避することができる。そうすることにより、支持体並びにカバーは、回動軸の箇所以外の仕様が制限されることがなく、カバー並びに支持体を構成する上での設計自由度を好適に向上させることができる。
【０００９】
回動軸の動作を安定させつつ、カバーを確実に位置決めするためには、前記係止手段を、前記回動軸近傍に前記支持体又は前記カバーの何れか一方に設けた凹部と、他方に設けられ前記所定位置において前記凹部に嵌り得る凸部とによって構成することが望ましい。
【００１０】
また、単純な構造でカバーを係止させる姿勢を複数決定するためには、凹部を平面視前記回動軸を中心とする同心円状に複数配置することが望ましい、
そして、カバーを係止した姿勢を安定して維持させるためには、凸部を複数設け、複数の凸部が複数の凹部にそれぞれ嵌り得るように構成していることが望ましい。
【００１１】
一方、係止手段を回動軸自体に設けて回動部のみで支持体とカバーとの位置決めを行うためには、係止手段を、支持体又はカバーの何れか一方に設けられ所定方向に向かって平面視偏向して延びる偏向軸と他方に設けられ偏向軸を収納する長孔とによって構成し、偏向軸の偏向方向と長穴の長手方向とが一致する所定位置において支持体に対してカバーを係止するように構成することが好ましい。
【００１２】
そして、カバーを好適に係止させるため、支持体及びカバーを樹脂によりなるものとすれば、樹脂素材の特性である撓みを有効に利用して、とともに当該係止した状態から容易に解除させる用に構成することができる。
【００１３】
上述したようなカバーの係止構造を好適に転写具に適用するためには、支持体を転写具本体とするとともに、カバーを転写具本体が具備する転写ヘッドを被覆し得るように転写具本体に取り付けてなるものとし、係止手段を、カバーが転写ヘッドを露出させる開放姿勢と、転写ヘッドを被覆する閉止姿勢とをとり得るように構成することが望ましい。
【発明の効果】
【００１４】
本発明によれば、支持体とカバーとを回動可能に取り付けるために最低限接触している回動軸自体あるいはその近傍に係止手段を設けることにより、カバー及び支持体の他の箇所にカバーの位置を維持するための格別の手段を設ける必要性を有効に回避することができる。そうすることにより、支持体並びにカバーは、回動軸の箇所以外の仕様が制限されることがなく、カバー並びに支持体を構成する上での設計自由度を好適に向上させることができるとともに支持体並びにカバーの構造を簡略化して生産コストを削減することができる。
【００１５】
特に、本発明に係るカバーの係止構造を転写具に採用すれば、カバーを確実に係止させつつ生産コストを抑えた転写具を提供することができる。
【発明を実施するための最良の形態】
【００１６】
以下、本発明の一実施の形態について図面を参照して説明する。
【００１７】
本実施形態に係るカバーの係止構造たる係止構造Ｘを採用した転写具Ａを図１乃至図４に示す。
【００１８】
転写具Ａは、支持体たる転写具本体１と、当該転写具本体１に対して回動可能に取り付けられたカバー２とによって主に構成されている。
【００１９】
ここで、本実施形態に係るカバー２の取付構造Ｘを採用した転写具Ａは、転写具本体１と、この転写具本体１に回動可能に取り付けられたカバー２とを有し、このカバー２を所定位置で係止するカバーの係止構造Ｘを採用したものであって、転写具本体１に対してカバー２を係止する係止手段Ｙを、カバー２が回動する後述する回動軸２１近傍に設けてなることを特徴とする。
【００２０】
また、本実施形態に係る転写具Ａは、カバー２を転写具本体１が具備する後述する転写ヘッドＨを被覆し得るように転写具本体１に取り付けてなるものとし、係止手段Ｙを、カバー２が転写ヘッドＨを露出させる開放姿勢Ｏと、転写ヘッドＨを被覆する閉止姿勢Ｃとをとり得るように構成していることを特徴としている。
【００２１】
以下、転写具Ａの具体的な構成について詳述する。
【００２２】
転写具本体１は、図１及び図２に示すように、主に樹脂によって構成されているケース３と、当該ケース３の内側に収納された転写物保持部Ｒとによって構成されている。
【００２３】
ケース３は、図１及び図２に示すように、転写具自体１の外形をなすものであり、主に２つの部品によって半割構造をなすものである。また、後述する転写ヘッドＨが露出するように開口を設けている。
【００２４】
転写物保持部Ｒは、図１に示すように、転写物として例えば糊Ｔｂを片面に付着させた転写テープＴを収納している巻出スプールＳＰ１と巻取スプールＳＰ２と、転写テープＴを例えば紙などの転写対象物に押し付けるための転写ローラＨｒを具備する転写ヘッドＨとによって構成してなるものである。なお、本実施形態においてこの転写物保持部Ｒを構成する巻出スプールＳＰ１、巻取スプールＳＰ２及び転写ヘッドＨはケース３内にそれぞれ直接取り付けられている仕様のものである。つまり、この転写具Ａは糊Ｔｂが無くなると、すなわち巻出スプールＳＰ１に巻かれた転写テープＴが無くなると使用し得なくなる所謂ディスポーサブルタイプのものである。しかし、本発明はこのようなディスポーサブルタイプの転写具Ａに限られるものではなく、転写物保持部Ｒを別体の内ケース等によって保持し、当該内ケースによって保持された転写物保持部Ｒごとリフィルとして交換し得る仕様を採用したものであってもよい。
【００２５】
カバー２は、図１及び図２に示すように、樹脂製の例えば一体成型品であり、上述の転写ヘッドＨを被覆し得る形状を有する先端部分と、ケースに回動可能に支持される基端部分とによって構成されている。そして図３及び図４に特に示すように、基端部分にはケース３を外側から挟み込むように両側から回動軸２１を突出させている。なお、本実施形態では樹脂による弾性を利用してカバー２の基端部分がケース３の両側から挟み込むようにカバーを取り付けているが、同様に樹脂の弾性を利用して例えば内側から外側へ回動軸２１を突出させてケース３に取り付けるような構造を、ケース２及びカバー３に採用してもよい。
【００２６】
しかして本実施形態に係る転写具Ａは、転写具本体１に対してカバー２を図２に示す開放姿勢Ｏ並びに閉止姿勢Ｃで好適にそれぞれ係止し得る係止手段Ｙを上述の回動軸２１近傍に具備しているものである。
【００２７】
以下、係止手段Ｙの具体的な構成について図３（ａ）、図３（ｂ）、図４（ａ）、図４（ｂ）を用いて詳述する。
【００２８】
係止手段Ｙは、回動軸２１近傍においてカバー２に設けた凹部２２と、所定位置において凹部２２に嵌り得るケース３側に設けた凸部３２とによって構成しているものである。
【００２９】
そして本実施形態において、凹部２２としてカバーに設けた２つ凹陥２２ａ、２２ｂを設けており、一方の凹陥２２ａはカバー２の基端に切り込みを入れるように設け、他方の凹陥２２ｂは回動軸２１よりもやや先端よりに設けた開口によって構成しているものである。
【００３０】
一方、凸部３２としては前記凹陥２２ａ、２２ｂに嵌り得る円柱状に突出させた突起３２ａを設けている。なお、凹部２２並びに凸部３２をなし得る構成はこのようなものに限られることはなく、逆に凹部２２をケース３側に設けて凸部３２をカバー２側に設けてもよい。そして、凹部２２は平面視回動軸２１を中心とする同心円状に複数、本実施形態では回動軸２１を境に対称となる２箇所に配置したものとしている。
【００３１】
ここで、上述したような係止手段Ｙによって転写具本体１に対してカバー２が開放姿勢並びに閉止姿勢に係止し得る動作について詳述する。
【００３２】
図３に示す開放姿勢Ｏにおいて、突起３２ａがカバー２に設けた他方の凹陥２２ｂに嵌り込んだ状態となることにより、カバー２を安定して係止させている状態となっている。
【００３３】
一方カバー２を開放姿勢Ｏから１８０°回転させると図４に示す閉止姿勢Ｃとなる。当該閉止姿勢Ｃでは凸部３２たる突起３２ａがカバー２に設けた一方の凹陥２２ａに嵌り込んだ状態となることにより、カバー２を当該閉止姿勢Ｃにおいて係止させている。
【００３４】
加えて、開放姿勢Ｏと閉止姿勢Ｃとの間でカバー２を回動させている状態において、突起３２ａの先端はカバー２の表面に当接しながら摺動することとなるが、樹脂製のカバー２の有する弾性によってカバー２の両側の基端部分が開き、且つ突起３２ａの先端とケース２との摩擦が使用者にとって快適な使用感を与えるものとなっている。
【００３５】
以上のような構成とすることにより、本実施形態に係るカバー２の係止構造Ｘを採用した転写具Ａは、転写具本体１のケース３に対してカバー２を係止する係止手段Ｙを、カバー２が回動する回動軸２１の近傍に設けてなることを特徴としている。
【００３６】
このようなものとすることにより、転写具本体１とカバー２とを回動可能に取り付けるために最低限接触している回動軸２１近傍に係止手段Ｙを設けることにより、カバー２及びケース３における他の箇所にカバー２の位置を維持するための格別の手段を設ける必要性を有効に回避することができる。そうすることにより、転写具本体１のケース３並びにカバー２は、回動軸２１の箇所以外の仕様が制限されることがなく、カバー２並びにケース３を構成する上での設計自由度を好適に向上させたものとなっている。
【００３７】
また、係止手段Ｙを、回動軸２１近傍に設けた凹部２２と凸部３２とによって構成することにより、回動軸２１とは異なる箇所に係止手段Ｙを設けることにより回動軸２１の動作を安定させつつ、カバー２を確実に位置決めすることを可能としている。
【００３８】
さらに凹部２２を平面視回動軸２１を中心とする同心円状に複数配置した凹陥２２ａ、２２ｂとすることにより、単純な構造でカバー２を係止させる姿勢を複数、すなわち開放姿勢Ｏ及び閉止姿勢Ｃに決定し得るものとしている。
【００３９】
そして、転写具本体１を構成するケース３とカバー２とを樹脂により構成することにより、樹脂素材の特性である撓みを有効に利用して、カバー２を好適に係止させるとともに当該係止した状態から容易に解除させ、カバー２を回動させることができる。
【００４０】
次に、本実施形態の変形例としてカバーの係止構造Ｘ１を採用した転写具Ａについて図５（ａ）、図５（ｂ）、図６（ａ）、図６（ｂ）を用いて説明する。
【００４１】
転写具Ａは本変形例おいて、上記実施形態と同様に支持体たる転写具本体１と、カバー２とによって構成されている。そして、カバー２の具体的な構造についても上記実施形態と略同様であるので同様の符号を用い、詳細な説明を省略するが、本変形例において、図５に示すように、ケース３が軸受け３１の周囲に凹陥２２ａに対して嵌り得る２つの突起３２ａ、３２ｂを具備している。すなわち、２つの凹陥２２ａ、２２ｂと２つの突起３２ａ、３２ｂとによって本変形例に係る係止手段Ｙ１を具備しているものである。
【００４２】
このようなものとすることにより、図に示すように開放姿勢Ｏ並びに閉止姿勢Ｃにおいてカバー２をケース３に対して複数箇所すなわち２箇所で係止させることができるため、より確実にカバー２の姿勢を維持させることができる。
【００４３】
次に、本発明の第二実施形態として、回動軸たる偏向軸２１Ａ自体に設けたカバー２Ａの係止構造Ｘ２について図７及び図８を用いて詳述する。
【００４４】
本実施形態では、図７（ａ）及び図８（ａ）に示すように、ケース３に対してカバー２Ａを開放姿勢Ｏ並びに閉止姿勢Ｃに係止する係止手段Ｙ２を、ケース２Ａが回動する回動軸として偏向軸２１Ａの箇所に設けてなるものである。
【００４５】
すなわち係止手段Ｙ２を、図７（ｂ）、図７（ｃ）、図８（ｂ）、図８（ｃ）に示すようにカバー２Ａに設けられ所定方向に向かって平面視偏向して延びる偏向軸２１Ａと、ケース３Ａに設けられ前記偏向軸２１Ａを収納する長穴３１Ａとによって構成してなるものとし、偏向軸２１Ａの偏向方向と前気長穴３１Ａの長手方向とが一致する所定位置すなわちカバー２Ａが開放姿勢Ｏ並びに閉止姿勢Ｃをとっている状態においてケース３Ａに対してカバー２Ａを係止するように構成しているものである。
【００４６】
詳細には偏向軸２１Ａを、カバー２Ａから立ち上がる基端から先端にかけて偏向軸２１Ａの直径に対し５％〜５０％位相がずれるように偏向しながら突出するように設定すればよく、長穴３１Ａの長手方向に直交する方向の短寸寸法を、偏向軸２１Ａの直径よりも偏向軸２１Ａの直径に対し５％〜５０％大きく設定すればよい。すなわち偏向軸２１Ａの先端部分と長穴３１Ａとが部分的に接触して長穴３１Ａの幅寸法を広げるように接触することにより、偏向軸２１Ａの偏向方向と長穴３１Ａの長手方向とが略一致しているときは偏向軸２１Ａと長穴３１Ａが部分的に接触して図に示すように開放姿勢Ｏ並びに閉止姿勢Ｃに好適に係止されることとなる。一方、使用者がカバー２Ａを回動させるときには長穴３１Ａの短寸寸法を拡げるか、偏向軸２１Ａの偏向寸法が小さくなるように、どちらか或いは互いに弾性変形することにより、使用者にとって適度な抵抗感を与えることとなる。
【００４７】
斯かる構成とすることにより、偏向軸２１Ａの箇所の構成のみでカバー２Ａをケース３Ａに対して係止させることができ、カバー２Ａ並びにケース３Ａにおける他の部分の設計自由度が高いものとなっている。
【００４８】
以上、本発明の実施形態について説明したが、各部の具体的な構成は、上述した実施形態のみに限定されるものではなく、本発明の趣旨を逸脱しない範囲で種々変形が可能である。
【００４９】
例えば、上述した第一実施形態において、凹部２２と凸部３２は突起３２ａと凹陥２２ａ、２２ｂに設定したものとしていたが、当該突起３２ａと凹陥２２ａ、２２ｂに限定されるものではない。具体的には図９に示すように、カバー２側の回動軸２１に隣接させて形成した２本のリブ２２０ａ、２２０ｂとケース３側の軸受けに連続させて形成した２本の溝３２０ａ、３２０ｂとによって凹部３２０及び凸部２２０を構成した係止手段Ｙを具備する係止構造Ｘを採用したものであってもよい。また、同実施形態では図３及び図４において一方の凹陥２２ａをカバー２に設けた横Ｕ字形状の切り込みを形成したものとしていたが、例えば長円状や正円状の切り込みを形成したものであってもよい。
【００５０】
さらに、上記第一実施形態において採用した凹部及び凸部による係止手段と、第二実施形態において採用した偏向軸と長穴とによって構成される係止手段とを併用したものであってもよい。加えて、凹部及び凸部や、回動軸及び軸受けは、ケース側或いはカバー側のどちら側に設けたものであってもよい。すなわち、ケース側に回動軸を設けカバー側に軸受けを設けたものであってもよく、ケース側に凹部を設けカバー側に凸部を設けたものであってもよい。
【００５１】
その他、各部の具体的構成についても上記実施形態に限られるものではなく、本発明の趣旨を逸脱しない範囲で種々変形が可能である。
【図面の簡単な説明】
【００５２】
【図１】本発明の第一実施形態に係る外観図。
【図２】同実施形態に係る側面図。
【図３】同実施形態に係る動作説明図。
【図４】同上。
【図５】同実施形態の変形例に係る動作説明図。
【図６】同上。
【図７】本発明の第二実施形態に係る動作説明図。
【図８】同上。
【図９】本発明の第一実施形態の他の変形に係る模式的な図。
【符号の説明】
【００５３】
１…転写具本体
２、２Ａ…カバー
２１…回動軸
２１Ａ…偏向軸
２２、３２０…凹部
３、３Ａ…ケース
３１…軸受け
３１Ａ…長穴
３２、２２０…凸部
Ａ…転写具
Ｏ…開放姿勢
Ｃ…閉止姿勢
Ｈ…転写ヘッド
Ｘ、Ｘ１、Ｘ２…カバーの係止構造（係止構造）
Ｙ、Ｙ１、Ｙ２…係止手段
【図１】
2006305839.tif 000003
【図２】
2006305839.tif 000004
【図３】
2006305839.tif 000005
【図４】
2006305839.tif 000006
【図５】
2006305839.tif 000007
【図６】
2006305839.tif 000008
【図７】
2006305839.tif 000009
【図８】
2006305839.tif 000010
【図９】
2006305839.tif 000011